(57)【要約】【課題】安定した状態で付属部品を収容空間に保管でき、利便性が高い画像読取装置及び画像形成装置を提供する。【解決手段】実施例１の複合機１は、装置本体１Ａ、原稿カバー３及びメディアトレイ１３を備えている。原稿カバー３は装置本体１Ａに対して揺動可能に取り付けられており、第１位置と第２位置とに変位する。原稿カバー３の後端には当接部１４が複数形成されている他、押圧部材１５が取り付けられている。押圧部材１５は原稿カバー３が第２位置に変位した際に自重により第３位置に変位する。押圧部材１５の後端には原稿カバー３側に向かって突出する突出部２３Ａ、２３Ｂが形成されている。そして、原稿カバーと押圧部材１５との間にメディアトレイ１３を収容可能な収容空間２９が形成されている。この複合機１では、収容空間２９に収容されるメディアトレイ１３の後端が各突出部２３Ａ、２３Ｂに案内されつつ各当接部１４に導かれる。【選択図】図１
2014003387.tif 000002
【特許請求の範囲】
【請求項１】
原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバー及び前記揺動部材の少なくとも一方には、前記原稿カバーが前記第１位置と前記第２位置との間を変位する際、又は前記原稿カバーが前記第２位置に停止している状態で、前記付属部品を前記収容空間内に保持する保持手段が設けられていることを特徴とする画像読取装置。
【請求項２】
前記保持手段は、前記第１位置において、前記付属部品を前記他端側から前記一端側に向かって登り傾斜とさせる請求項１記載の画像読取装置。
【請求項３】
前記保持手段は、前記揺動部材における前記一端側に設けられ、前記収容空間に収容される前記付属部品と当接可能に前記原稿カバーに向かって突出する突出部である請求項２記載の画像読取装置。
【請求項４】
前記突出部は、前記揺動部材の前記他端側から前記一端側に向かって延び、
前記突出部の突出量は、前記揺動部材の前記他端側から前記一端側にかけて次第に大きくなっている請求項３項記載の画像読取装置。
【請求項５】
前記保持手段は、前記揺動部材における前記一端側に設けられ、前記揺動部材における前記他端側から前記一端側に向けて前記原稿カバーに近づくように傾斜する傾斜面である請求項２記載の画像読取装置。
【請求項６】
前記揺動部材は、前記原稿カバーが前記第１位置にある際に前記原稿を前記原稿載置面に向けて押圧可能な押圧部材であり、
前記押圧部材における前記原稿載置面側には弾性部材が設けられている請求項１乃至５のいずれか１項記載の画像読取装置。
【請求項７】
前記揺動部材は、前記一端側から前記他端側に延びる一対の側壁面を有する矩形をなし、
前記各側壁面には、係合部が設けられ、
前記原稿カバーには、各前記係合部と係合しつつ、前記揺動部材の揺動方向に各前記係合部を摺動可能に案内する被係合部が設けられ、
各前記係合部は各前記側壁面における略中央に設けられている請求項１乃至６のいずれか１項記載の画像読取装置。
【請求項８】
前記原稿カバーにおける前記第１揺動軸心側の端部には、前記原稿載置面と交差する方向に延び、前記収容空間に収容される前記付属部品が当接可能な当接部が設けられている請求項１乃至７のいずれか１項記載の画像読取装置。
【請求項９】
前記揺動部材における前記他端側には、前記収容空間に前記付属部品を収容する際に前記付属部品を前記間隙に誘い込む誘い込み部が設けられている請求項１乃至８のいずれか１項記載の画像読取装置。
【請求項１０】
前記誘い込み部には、前記収容空間に前記付属部品を収容する際における挿入方向の上流側から下流側に向けて傾斜する案内面が形成され、
前記案内面は、前記挿入方向に沿って前記原稿カバーから離間するように傾斜し、前記原稿カバーが前記第１位置にある際、前記原稿カバーとの干渉を回避可能に形成されている請求項９記載の画像読取装置。
【請求項１１】
前記揺動部材には、前記付属部品を前記突出部へ案内可能なガイド部が設けられ、
前記ガイド部は、前記付属部品が前記収容空間に収容される際、前記付属部品の幅方向の外側で対向する位置に立設され、
前記突出部は、対向する一対の前記ガイド部の内側に設けられている請求項３、４及び６乃至１０のいずれか１項記載の画像読取装置。
【請求項１２】
前記突出部は、対向する一対の前記ガイド部からの距離が等しくなる位置に設けられている請求項１１記載の画像読取装置。
【請求項１３】
前記揺動部材における前記他端側には、前記収容空間に前記付属部品を収容する際に前記付属部品を前記間隙に誘い込む誘い込み部が設けられ、
前記誘い込み部は前記ガイド部に一体で形成されている請求項１１又は１２記載の画像読取装置。
【請求項１４】
本発明の画像読取装置は、原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバーにおける前記第１揺動軸心側の端部には、前記原稿載置面と交差する方向に延び、前記収容空間に収容される前記付属部品が当接可能な当接部が設けられ、
前記当接部は、前記収容空間に前記付属部品が収容された状態で前記原稿カバーが前記第１位置から前記第２位置へ向けて変位した際に、前記付属部品が前記揺動部材の前記一端側に移動することを防止し、
前記揺動部材には、前記収容空間に収容される前記付属部品を前記当接部に導く案内部が設けられていることを特徴とする画像読取装置。
【請求項１５】
原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバーが前記第１位置にある際、前記収容空間の前記一端側における高さ方向の間隔は、前記他端側よりも狭いことを特徴とする画像読取装置。
【請求項１６】
原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、
被記録媒体に前記画像を形成する画像形成手段と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバー及び前記揺動部材の少なくとも一方には、前記収容空間内に位置し、前記原稿カバーが前記第１位置から前記第２位置へ向けて変位する際に前記付属部品を前記収容空間内に保持する保持手段が設けられ、
前記付属部品は、前記被記録媒体が特定の性状を有する特定被記録媒体である場合に使用されるトレイであることを特徴とする画像形成装置。
【発明の詳細な説明】
【技術分野】
【０００１】
本発明は画像読取装置及び画像形成装置に関する。
【背景技術】
【０００２】
近年、紙媒体だけでなく、例えば写真のネガフィルム等の画像も読取可能な画像読取装置や、樹脂製で紙媒体よりも剛性が高いディスクメディア等に対しても画像を形成可能な画像形成装置が求められている。一方で、これらのフィルム等の画像を読み取ったり、ディスクメディアに画像を形成したりするに当たっては、紙媒体とは性状が異なることから、紙媒体に画像の形成を行う場合等とは異なる装置等が別途必要となる。
【０００３】
そこで、特許文献１に開示された画像形成装置は、ディスクメディアを載置可能なメディアトレイを付属部品として備えている。そして、ディスクメディアに対して画像を形成する際には、ディスクメディアを載置した状態でメディアトレイを画像形成装置内に挿入する。こうして、この画像形成装置では、紙媒体以外に、ディスクメディアに対しても画像を形成することが可能となっている。
【先行技術文献】
【特許文献】
【０００４】
【特許文献１】特開２００４‐４２３８４号公報
【発明の概要】
【発明が解決しようとする課題】
【０００５】
しかし、付属部品は、紙媒体以外から画像を読み取ったり、紙媒体以外に画像を形成したりする場合にのみ使用される。このため、不使用時には付属部品を保管しておく必要がある。この点、上記従来のような画像形成装置では、付属部品を紛失することが懸念される他、保管時に付属部品が損傷することも懸念され、利便性が低い。
【０００６】
本発明は、上記従来の実情に鑑みてなされたものであって、安定した状態で付属部品を収容空間に保管でき、利便性が高い画像読取装置及び画像形成装置を提供することを目的とする。
【課題を解決するための手段】
【０００７】
本発明の画像読取装置は、原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバー及び前記揺動部材の少なくとも一方には、前記原稿カバーが前記第１位置と前記第２位置との間を変位する際、又は前記原稿カバーが前記第２位置に停止している状態で、前記付属部品を前記収容空間内に保持する保持手段が設けられていることを特徴とする。
【０００８】
本発明の画像読取装置は揺動部材を備えており、この揺動部材と原稿カバーとの間に収容空間が形成される。そして、揺動部材が第３位置に変位することにより、揺動部材の他端側が原稿カバーから離間して間隙が形成される。これにより、この画像読取装置では、間隙を介して収容空間に付属部品を収容し、付属部品を画像読取装置内に保管することが可能となる。このように、この画像読取装置では、画像読取装置の載置場所と付属部品の保管場所とが同一となることから、付属部品の紛失を好適に防止することが可能である。
【０００９】
また、この画像読取装置では、原稿カバーが第１位置から第２位置へ向けて変位するに従って、揺動部材は自重によって第４位置から第３位置へ向けて変位する。そして、原稿カバーによって原稿載置面が覆われる、つまり、原稿カバーが第１位置となることで、揺動部材は原稿台によって押圧されて第４位置へ変位する。このように、この画像読取装置では、収容空間へ付属部品を収容するに当たって、使用者は揺動部材を操作する必要がない。つまり、原稿カバーを第１位置から第２位置に変位させることで、揺動部材を第３位置に変位させることができ、付属部品を収容できる状態とすることができる。また、付属部品を収容した後も原稿カバーを第１位置に変位させる操作を行うだけで揺動部材を第４位置に変位させることができることから、間隙を閉鎖するために揺動部材の操作を行う必要もない。その結果、本発明の画像読取装置では、付属部品の収容作業及びその保管が容易である。
【００１０】
さらに、この画像読取装置では、収容空間に付属部品を収容した状態で原稿カバーを第１位置から第２位置へ向けて変位させたり、第２位置のままで原稿カバーを停止させたりした場合であっても、保持手段が付属部品を収容空間内に保持する。このため、この画像読取装置では、例えば、原稿カバーを開いて原稿載置面を開放しても、付属部品が収容空間から落下したり、付属部品が収容空間を超えて移動した結果、原稿カバーと原稿台との間に挟まったりするような事態が生じ難く、保管時における付属部品の損傷を防止可能である。
【００１１】
したがって、本発明における画像読取装置は、安定した状態で付属部品を収容空間に保管でき、高い利便性を発揮する。
【００１２】
保持手段は、第１位置において、付属部品を他端側から一端側に向かって登り傾斜とさせることが好ましい。この場合、原稿カバーが第１位置にある場合に、付属部品は、収容空間内において他端側から一端側に向かって登り傾斜の姿勢となる。付属部品がこのような姿勢であれば、原稿カバーを第２位置に変位させた際に、収容空間を構成する原稿カバーや揺動部材が他端側から一端側へ下り傾斜をなす姿勢になっても、収容空間内の付属部品は、上記のように傾斜した原稿カバーや揺動部材と比較して、より水平に近い状態となる。これにより、この画像読取装置では、付属部品を収容空間内に精度良く収容しておくことができる。
【００１３】
上記の場合、保持手段は、揺動部材における一端側に設けられ、収容空間に収容される付属部品と当接可能に原稿カバーに向かって突出する突出部であり得る。この場合には、揺動部材における一端側で突出部が付属部品と当接することで、収容空間内において付属部品を他端側から一端側に向かって登り傾斜の姿勢に保持することができる。なお、揺動部材に設けられる突出部の数は、付属部品や揺動部材の形状等に応じて適宜設計することが可能である。
【００１４】
また、突出部は、揺動部材の他端側から一端側に向かって延び得る。そして、突出部の突出量は、揺動部材の他端側から一端側にかけて次第に大きくなっていることが好ましい。この場合、突出部上を他端側から一端側に滑らせつつ、付属部品を収容空間内に収容させること可能となり、付属部品を収容空間内に収容させ易くなる。また、収容空間内で突出部に沿って付属部品が収容されることで、収容空間内において、付属部品は自然に他端側から一端側に向かって登り傾斜の姿勢となる。
【００１５】
さらに、保持手段は、揺動部材における一端側に設けられ、揺動部材における他端側から一端側に向けて原稿カバーに近づくように傾斜する傾斜面であり得る。この場合も、収容空間内で傾斜面に沿って付属部品が移動することで、収容空間内において、付属部品は自然に他端側から一端側に向かって登り傾斜の姿勢となる。
【００１６】
上記のように、突出部や傾斜面と付属部品とが当接することにより、当該箇所には摩擦力が生じる。このため、この摩擦力を大きくし、収容空間に収容された付属部品が収容空間内を移動することを抑制することが好ましい。これは、例えば、突出部や傾斜面において付属部品と当接する箇所の面積が大きくなるように、突出部や傾斜面の形状を設計したり、突出部や傾斜面に摩擦力が大きくなる部材を設けたりすることで実現可能である。これにより、原稿カバーが第１位置と第２位置との間で繰り返し変位しても、収容空間に収容されている付属部品が収容空間内を移動することを抑制できる。
【００１７】
本発明の画像読取装置において、揺動部材は、原稿カバーが第１位置にある際に原稿を原稿載置面に向けて押圧可能な押圧部材であり得る。そして、押圧部材における原稿載置面側には弾性部材が設けられていることが好ましい。この場合、原稿の画像を読み取る際に、原稿が原稿載置面を移動したり、読み取った画像に不必要な影等が生じたりし難くなることから、原稿の画像の読み取り精度が高くなる。また、画像読取装置において有用な押圧部材を利用することで、専用の部材を用いること無く付属部品を収容する空間を形成できるため、装置の小型化に有効である。
【００１８】
また、揺動部材は、一端側から他端側に延びる一対の側壁面を有する矩形をなし得る。さらに、各側壁面には、係合部が設けられ得る。また、原稿カバーには、各係合部と係合しつつ、揺動部材の揺動方向に各係合部を摺動可能に案内する被係合部が設けられ得る。そして、各係合部は各側壁面における略中央に設けられていることが好ましい。
【００１９】
この場合、各係合部及び各被係合部が揺動部材の他端側から離れた位置に設けられる。このため、この画像読取装置では、各被係合部内において各係合部が摺動可能な距離を短くしても、揺動部材が第３位置に揺動した際に、揺動部材の他端側が大きく揺動し、原稿カバーと揺動部材の他端側との間に形成される間隙が大きくなる。このため、この画像読取装置では、各係合部及び各被係合部の小型化と付属部品の収容の容易化とを両立させることが可能となる。
【００２０】
さらに、原稿カバーにおける第１揺動軸心側の端部には、原稿載置面と交差する方向に延び、収容空間に収容される付属部品が当接可能な当接部が設けられていることが好ましい。この場合、保持部材に加えて、付属部品の挿入方向先端は当接部と当接することで、収容空間を超えて移動することが防止される。このため、この画像読取装置では、原稿カバーの第２位置への変位等に伴う、付属部品の収容空間からの落下等を好適に防止可能であるとともに、付属部品の損傷も防止可能となる。
【００２１】
揺動部材における他端側には、収容空間に付属部品を収容する際に付属部品を間隙に誘い込む誘い込み部が設けられていることが好ましい。この場合、間隙を介して収容空間に付属部品を収容し易くなることから、付属部品の収容作業が容易となる。
【００２２】
誘い込み部には、収容空間に付属部品を収容する際における挿入方向の上流側から下流側に向けて傾斜する案内面が形成され得る。そして、案内面は、挿入方向に沿って原稿カバーから離間するように傾斜し、原稿カバーが第１位置にある際、原稿カバーとの干渉を回避可能に形成されていることが好ましい。この場合、第１位置にある原稿カバーによって原稿載置面を確実に覆うことが可能となるとともに、原稿カバーと誘い込み部との干渉による原稿カバーや誘い込み部の損傷を防止することも可能となる。
【００２３】
本発明の画像読取装置において、揺動部材には、付属部品を突出部へ案内可能なガイド部が設けられ得る。また、ガイド部は、付属部品が収容空間に収容される際、付属部品の幅方向の外側で対向する位置に立設され得る。そして、突出部は、対向する一対のガイド部の内側に設けられていることが好ましい。
【００２４】
この場合、ガイド部によって、付属部品を突出部に導き易くなる。そして、対向する一対のガイド部の内側に突出部が設けられることから、ガイド部によって導かれた付属部品を確実性高く突出部と当接させることが可能となる。なお、ガイド部は一対以上設けられていれば良く、その数や形状等については、付属部品や揺動部材の形状等に応じて適宜設計することが可能である。
【００２５】
また、上記の場合、突出部は、対向する一対のガイド部からの距離が等しくなる位置に設けられていることが好ましい。この場合、付属部品の幅方向の一方に偏った状態で付属部品と突出部とが当接することがなく、収容空間内で付属部品を安定した状態で保持することが可能となる。
【００２６】
誘い込み部はガイド部に一体で形成されていることが好ましい。この場合には、画像読取装置の部品点数を削減することが可能となり、低コスト化を実現できる。
【００２７】
また、本発明の画像読取装置は、原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバーにおける前記第１揺動軸心側の端部には、前記原稿載置面と交差する方向に延び、前記収容空間に収容される前記付属部品が当接可能な当接部が設けられ、
前記当接部は、前記収容空間に前記付属部品が収容された状態で前記原稿カバーが前記第１位置から前記第２位置へ向けて変位した際に、前記付属部品が前記揺動部材の前記一端側に移動することを防止し、
前記揺動部材には、前記収容空間に収容される前記付属部品を前記当接部に導く案内部が設けられていることを特徴とする。
【００２８】
この画像読取装置も上記の画像読取装置と同様、画像読取装置内へ付属部品を容易に保管することが可能である。
【００２９】
さらに、この画像読取装置では、原稿カバーにおける第１揺動軸心側の端部に当接部が設けられている。そして、収容空間に収容される付属部品と当接部とが当接することにより、付属部品を収容空間内で保持することが可能である。この際、この画像読取装置では、揺動部材に設けられた案内部によって、収容空間に収容される付属部品の挿入方向の先端側を当接部に導くことが可能となる。このため、この画像読取装置では、収容空間に収容される付属部品を確実に当接部と当接させることが可能となる。これにより、この画像読取装置も、収容空間に付属部品を収容した状態で原稿カバーを第１位置から第２位置へ向けて変位等させた際における収容空間からの付属部品の落下等を防止可能であり、付属部品の損傷も防止可能である。したがって、本発明の画像読取装置も安定した状態で付属部品を収容空間に保管でき、高い利便性を発揮できる。
【００３０】
案内部としては、上記の保持手段と同様の突出部や傾斜面等を採用することが可能である他、上記のガイド部を採用することも可能である。また、これらの突出部、傾斜面及びガイド部を適宜組み合わせて案内部とすることも可能である。
【００３１】
また、本発明の画像読取装置は、原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバーが前記第１位置にある際、前記収容空間の前記一端側における高さ方向の間隔は、前記他端側よりも狭いことを特徴とする。
【００３２】
この画像読取装置も上記の各画像読取装置と同様、画像読取装置内へ付属部品を容易に保管することが可能ある。
【００３３】
また、この画像読取装置では、原稿カバーが第１位置にある際、収容空間の一端側における高さ方向の間隔が他端側よりも狭くなる。このため、原稿カバーを第２位置に変位させることで、収容空間を構成する原稿カバーや揺動部材が他端側から一端側へ下り傾斜をなす姿勢となった場合であっても、収容空間内に収容された付属部品は収容空間の一端側から収容空間を超えて収容空間や揺動部材の外部に移動し難くなる。これにより、この画像読取装置も、収容空間に付属部品を収容した状態で原稿カバーを第１位置から第２位置へ向けて変位等させた際における収容空間からの付属部品の落下等を防止可能で、あり、付属部品の損傷も防止可能である。したがって、本発明の画像読取装置も安定した状態で付属部品を収容空間に保管でき、高い利便性を発揮できる。
【００３４】
この画像読取装置において、例えば、揺動部材の一端側に上記の傾斜面を設けることで、原稿カバーが第１位置にある際に、収容空間の一端側における高さ方向の間隔を他端側よりも狭くすることが可能となる。また、このような傾斜面を設けた場合には、原稿カバーを第２位置に変位させた場合であっても、収容空間内における付属部品は水平に近い状態となる。このため、付属部品の収容空間から落下等をより好適に防止可能である。
【００３５】
本発明の画像形成装置は、原稿が載置される原稿載置面を有する原稿台と、
前記原稿載置面に載置された前記原稿の画像を読み取る読取手段と、
前記原稿台の一端側に位置する第１揺動軸心周りで揺動可能な原稿カバーと、
前記原稿カバーに支持され、前記第１揺動軸心と平行な第２揺動軸心周りで揺動可能な揺動部材と、
被記録媒体に前記画像を形成する画像形成手段と、を備え、
前記原稿カバーと前記揺動部材との間には付属部品を収容可能な収容空間が形成され、
前記原稿カバーは、前記第１揺動軸心周りで揺動することにより、前記原稿載置面を覆う第１位置と、前記原稿載置面を開放する第２位置との間で変位し、
前記揺動部材は、他端側が前記第２揺動軸心周りで揺動することにより、前記他端側が前記原稿カバーから離間して前記原稿カバーと自己との間に前記収容空間と外部とを連通する間隙を形成する第３位置と、前記他端側が前記原稿カバーに近接して前記間隙を閉鎖する第４位置との間で変位し、
前記揺動部材は、前記原稿カバーが前記第１位置から前記第２位置へ向けて変位するに従って、自重により前記第４位置から前記第３位置へ向けて変位し、
前記原稿カバー及び前記揺動部材の少なくとも一方には、前記収容空間内に位置し、前記原稿カバーが前記第１位置から前記第２位置へ向けて変位する際に前記付属部品を前記収容空間内に保持する保持手段が設けられ、
前記付属部品は、前記被記録媒体が特定の性状を有する特定被記録媒体である場合に使用されるトレイであることを特徴とする。
【００３６】
この画像形成装置は、被記録媒体が特定の性状を有する特定被記録媒体である場合の画像形成おいて使用されるトレイを付属部品として備えていることから、画像形成手段によって画像を形成可能な被記録媒体の種類を多くすることが可能となる。ここで、特定被記録媒体とは、被記録媒体状のうちで、その材質、形状及び厚さ等が特定の性状を有している被記録媒体を指す。
【００３７】
また、この画像形成装置では、上記の画像読取装置と同様に、不使用時にトレイを原稿カバーと揺動部材との間に容易に保管することが可能である。さらに、トレイは保持手段によって収容空間内で保持されることから、この画像形成装置では、収容空間にトレイを収容した状態で原稿カバーを第１位置から第２位置へ向けて変位等させた場合であっても、収容空間からのトレイの落下等を防止可能であり、トレイの損傷を防止可能である。したがって、本発明の画像形成装置も安定した状態で付属部品を収容空間に保管でき、高い利便性を発揮できる。
【図面の簡単な説明】
【００３８】
【図１】実施例１の複合機を示す斜視図である。
【図２】実施例１の複合機に係り、メディアトレイを示す上面図である。
【図３】実施例１の複合機に係り、原稿カバー及び押圧部材等を示す背面からの斜視図である。
【図４】実施例１の複合機に係り、第１位置にある原稿カバー及び第４位置にある押圧部材等を示す部分断面側面図である。
【図５】実施例１の複合機に係り、第２位置にある原稿カバー及び第３位置にある押圧部材等を示す部分断面側面図である。
【図６】実施例１の複合機に係り、押圧部材を示す斜視図及び誘い込み部を示す拡大正面図である。
【図７】実施例１の複合機に係り、係合孔及び係合突起を示す断面図である。（Ａ）は押圧部材が第３位置にある際の係合孔及び係合突起を示している。（Ｂ）は押圧部材が第４位置にある際の係合孔及び係合突起を示している。
【図８】実施例１の複合機に係り、メディアトレイの収容時を示す断面図である。
【図９】実施例１の複合機の一部及び比較例の複合機の一部を示す模式断面図である。（Ａ）は、実施例１の複合機において、原稿カバーが第１位置にある状態を示している。（Ｂ）は、実施例１の複合機において、原稿カバーが第２位置にある状態を示している。（Ｃ）は、比較例の複合機において、原稿カバーが第１位置にある状態を示している。（Ｄ）は、比較例の複合機において、原稿カバーが第２位置にある状態を示している。
【図１０】実施例２の複合機に係り、押圧部材及び誘い込み部を示す拡大正面図である。
【発明を実施するための形態】
【００３９】
以下、本発明を具体化した実施例１、２及び比較例を図面を参照しつつ説明する。
【００４０】
（実施例１）
図１に実施例１の複合機１を示す。複合機１は、画像読取装置及び画像形成装置として機能し、原稿の画像を読み取りが可能であるとともに、被記録媒体であるシート（紙媒体の用紙やＯＨＰシート等）の他、特定被記録媒体であるディスクメディア（ＣＤ−Ｒ等）に対し、読み取った画像や他の画像を形成することが可能である。
【００４１】
この複合機１は、装置本体１Ａと、装置本体１Ａに対して揺動可能に取り付けられた原稿カバー３とを備えている。以下、実施例１及び実施例２では、複合機１について、使用者が操作する際の手前側を前方、奥側を後方とそれぞれ定義する。また、複合機１の前後方向の他、上下方向及び左右方向については、各図面中に適宜記載する。そして、原稿カバー３において、上下方向に移動可能な端部が本発明における一端側に相当し、原稿カバー３の揺動軸心Ｍ１側が本発明における他端側に相当している。
【００４２】
＜装置本体の概説＞
装置本体１Ａの上部には原稿台５が設けられている。この原稿台５は、上面が原稿載置面７とされるガラス板５Ａと、ガラス板５Ａの周囲に設けられ、ガラス板５Ａを支持する枠体５Ｂとを有している。また、ガラス板５Ａの下方には、原稿載置面７に載置された原稿の画像を読み取るスキャナ部９が設けられている。原稿台５の下方には、紙媒体やディスクメディア等に対し、スキャナ部９によって読み取られた画像等を形成するプリンタ部１１が設けられている。スキャナ部９及びプリンタ部１１は、それぞれ本発明における読取手段及び画像形成手段の一例である。なお、スキャナ部９及びプリンタ部１１は公知の構成と同様であり、これらについての詳細な説明を省略する。
【００４３】
また、装置本体１Ａには、スキャナ部９やプリンタ部１１を操作するための操作部１Ｂが設けられている他、シートを載置する給紙トレイ１Ｃや、画像が形成されたシートが排出される排出口１Ｄが設けられている。
【００４４】
＜メディアトレイの説明＞
複合機１は、図２に示すように、付属部品としてのメディアトレイ１３を備えている。このメディアトレイ１３は、プリンタ部１１においてディスクメディアに対して画像を形成する際に用いられる。このメディアトレイ１３は矩形の薄板状に形成されている。また、メディアトレイ１３の表面１３Ａの略中央には、ディスクメディアを載置する載置部１３Ｂが形成されている。さらに、メディアトレイ１３の表面１３Ａの後端側には、複合機１や後述する収容空間２９に対するメディアトレイ１３の挿入方向を示す刻印１３Ｃが形成されている。図３に示すように、メディアトレイ１３の裏面１３Ｄにも同様の刻印１３Ｅが形成されている。
【００４５】
＜原稿カバーの説明＞
原稿カバー３は略矩形であり、平板状に形成された平面部３Ａと、平面部３Ａの周囲で下方（図１における原稿カバー３側から装置本体１Ａ側に相当する。）に向かって延び、平面部３Ａの４つの辺を囲む第１壁部３Ｂとを有している。この第１壁部３Ｂは、前後左右の４つの壁面により構成されている。また、原稿カバー３の後端側には、ヒンジ３Ｃ、３Ｄが形成されている。このヒンジ３Ｃ、３Ｄを介して原稿カバー３は装置本体１Ａに取り付けられている。これにより、装置本体１Ａの上部において、原稿カバー３の前端がヒンジ３Ｃ、３Ｄを支点として、第１揺動軸心Ｍ１周りで揺動可能となる。具体的には、図４に示すように、原稿カバー３が略水平の状態となり、原稿載置面７を覆う第１位置と、図５に示すように、原稿カバー３が前端側から後端側に向かって下り傾斜の状態となり、原稿載置面７を開放する第２位置とに変位する。
【００４６】
また、図３に示すように、第１壁部３Ｂの後端側には、原稿カバー３の平面部３Ａの下方、すなわち、平面部３Ａから直交する方向に延びる四つの当接部１４が設けられている。これらの各当接部１４は板状であり、第１壁部３Ｂの後壁面と一体に形成されている。
【００４７】
さらに、原稿カバー３の平面部３Ａには、第１壁部３Ｂの内側で第１壁部３Ｂと同方向に延びる第２壁部３Ｅが形成されている。この第２壁部３Ｅも前後左右の４つの壁面により構成されている。第２壁部３Ｅのうち、左右に位置する壁面には、それぞれ係合孔３Ｆが形成されている。係合孔３Ｆは、本発明における被係合部の一例である。また、第２壁部３Ｅの前壁面には、平面部３Ａに向かって凹む切欠き３Ｇが形成されている。図４に示すように、第２壁部３Ｅの後壁面にも同様の切欠き３Ｈが形成されている。
【００４８】
＜押圧部材の説明＞
図３に示すように、原稿カバー３には、押圧部材１５が組み付けられている。押圧部材１５は、第２壁部３Ｅを構成する４つの壁面の内側に配置されている。この押圧部材１５は矩形の箱型に形成されており、平面部１５Ａと、平面部１５Ａの周囲から原稿カバー３の平面部３Ａに向かって延びる第３壁部１５Ｂとを有している。また、平面部１５Ａの下面（原稿載置面７と対向する面）には、本発明における弾性部材の一例であるスポンジ板１７が貼着されている。このスポンジ板１７は、図１に示すガラス板５Ａとほぼ同形であり、原稿カバー３を第１位置とした際、ガラス板５Ａと全域で当接する。
【００４９】
図６に示すように、第３壁部１５Ｂは、平面部１５Ａの左右側で、押圧部材１５の後端側から前端側に向かって延びる一対の側壁面１５０Ａ、１５０Ｂを有している。また、第３壁部１５Ｂは、押圧部材１５の前端側に位置する前壁面１５０Ｃと、押圧部材１５の後端側に位置する後壁面１５０Ｄとを有している。前壁面１５０Ｃ及び後壁面１５０Ｄの略中央には、切欠き１５０Ｅ、１５０Ｆがそれぞれ形成されている。
【００５０】
後壁面１５０Ｄには、先端が後方に向く爪部１９Ａ、１９Ｂが立設されている。また、各側壁面１５０Ａ、１５０Ｂには、それぞれ略中央で幅方向の外側に向かって突出する係合突起２１Ａ、２１Ｂが形成されている。図７に示すように、各係合突起２１Ａ、２１Ｂの先端には下向きに突出する係止片２１Ｃが形成されている。
【００５１】
さらに、平面部１５Ａの上面には、図６に示すように、突出部２３Ａ、２３Ｂと、ガイド部２５Ａ〜２５Ｈとが形成されている。突出部２３Ａ、２３Ｂは、本発明における案内部の一例である。なお、突出部２３Ａ、２３Ｂのうちいずれか一方のみを形成しても良く、左右方向に三つ以上並べて形成しても良い。
【００５２】
各突出部２３Ａ、２３Ｂは、平面部１５Ａの最後端側に位置し、幅を有するとともに、平面部１５Ａの上面から原稿カバー３に向って突出している（図４、５参照）。より詳細には、図６に示すように、各突出部２３Ａ、２３Ｂは、平面部１５Ａにおける前後方向の中央よりもやや後端側から平面部１５Ａの最後端側に向かって延びており、各突出部２３Ａ、２３Ｂの突出量は、最後端に向かって次第に大きくなっている。つまり、各突出部２３Ａ、２３Ｂの形状は、左右方向から見た場合に前端側から後端側に向かって登り傾斜となる略直角三角形となっている。
【００５３】
各ガイド部２５Ａ〜２５Ｈは、それぞれ平面部１５Ａの上面から原稿カバー３に向って突出する板状に形成されている。各ガイド部２５Ａ〜２５Ｈは、平面部１５Ａの前端側から後端側にかけて、それぞれ直線状に整列して配置されている。各ガイド部２５Ａ〜２５Ｈのうち、ガイド部２５Ａ〜２５Ｄは平面部１５Ａの右側に配置されており、ガイド部２５Ａからガイド部２５Ｄまで順に平面部１５Ａの後端側から前端側に向かって配置されている。また、ガイド部２５Ｅ〜２５Ｈは平面部１５Ａの左側に配置されており、ガイド部２５Ｅからガイド部２５Ｈまで順に平面部１５Ａの後端側から前端側に向かって配置されている。これらのガイド部２５Ａ〜２５Ｄとガイド部２５Ｅ〜２５Ｈとは、上記のメディアトレイ１３の幅方向よりもやや広い間隔を空けつつ、対向して配置されている。
【００５４】
また、上記の各突出部２３Ａ、２３Ｂは、ガイド部２５Ａとガイド部２５Ｅとの間に配置されており、突出部２３Ａとガイド部２５Ａとの距離と、突出部２３Ｂとガイド部２５Ｅとの距離とは等しくなっている。
【００５５】
さらに、ガイド部２５Ｃ、２５Ｇの内側には、補助ガイド部２５１、２５２がそれぞれ形成されている。補助ガイド部２５１は、ガイド部２５Ｃの上方に形成されており、対向するガイド部２５Ｇ側に向かって突出している。一方、補助ガイド部２５２は、ガイド部２５Ｇの上方に形成されており、対向するガイド部２５Ｃ側に向かって突出している。また、平面部１５Ａの前端側に位置するガイド部２５Ｄ、２５Ｈには、それぞれ誘い込み部２７Ａ、２７Ｂが一体で形成されている。
【００５６】
図３に示すように、各誘い込み部２７Ａ、２７Ｂは、それぞれ上記の切欠き１５０Ｅ内に位置している。各誘い込み部２７Ａ、２７Ｂは、垂直方向の断面が略Ｌ字形状とされている。誘い込み部２７Ａは、前端側から後端側にかけて下り傾斜となるように形成された上面２７１Ａと、上面２７１Ａから下方に向かって延びる案内面２７２Ａとを有している。誘い込み部２７Ｂも同様に、上面２７２Ａと案内面２７２Ｂとを有している。
【００５７】
図３に示すように、各誘い込み部２７Ａ、２７Ｂは、前辺１５０Ｃ（第３壁部１５Ｂ）よりも前端側に向かって揺動部材１５から突出するように形成されている。また、各案内面２７２Ａ、２７２Ｂは、前端側から後端側（メディアトレイ１３の挿入方向の上流側から下流側に相当する。）にかけて傾斜するように形成されている。
【００５８】
この押圧部材１５と原稿カバー３との組み付けは以下のように行う。まず、図６に示すように、後壁面１５０Ｄに形成された各爪部１９Ａ、１９Ｂについて、それぞれ図３に示す原稿カバー３の第２壁部３Ｅに係止させる。より詳細には、第２壁部３Ｅに形成された係止部（図示略）に対して、各爪部１９Ａ、１９Ｂを係止させる。次に、図７に示すように、係合突起２１Ａ、２１Ｂをそれぞれ係合孔３Ｆに挿通させ、係合突起２１Ａ、２１Ｂを係合孔３Ｆ内で摺動可能な状態で係止させる。これにより、押圧部材１５と原稿カバー３との組み付けが完了する。
【００５９】
原稿カバー３に押圧部材１５を組み付けることにより、図４に示すように、原稿カバー３と押圧部材１５との間には、メディアトレイ１３を収容可能な収容空間２９が形成される。上記の各突出部２３Ａ、２３Ｂ及びガイド部２５Ａ〜２５Ｈは、この収容空間２９内に位置している。このように各突出部２３Ａ、２３Ｂが設けられることにより、原稿カバー３が第１位置にある際、収容空間２９の後端側における高さ方向の間隔は、各突出部２３Ａ、２３Ｂが形成された位置において、前端側よりも狭くなっている。また、原稿カバー３に押圧部材１５を組み付けることで、第２壁部３Ｅにおける切欠き３Ｇ、３Ｈと、第３壁部１５Ｂにおける切欠き１５０Ｅ、１５０Ｆとがそれぞれ対向する。これにより、上記の誘い込み部２７Ａ、２７Ｂは、切欠き３Ｇと切欠き１５０Ｅとの間に位置する。
【００６０】
さらに、押圧部材１５は、その後端側（爪部１９Ａ、１９Ｂと第２壁部３Ｅとの係止位置）を支点として、前端側が原稿カバー３に対して第２揺動軸心Ｍ２周りで揺動可能となる。具体的には、押圧部材１５は、図５に示すように、その前端側が原稿カバー３から離間する第３位置と、図４に示すように、前端側が原稿カバー３に近接する第４位置とに変位する。なお、図３に示すように、第２揺動軸心Ｍ２は第１揺動軸心Ｍ１と平行である。
【００６１】
この押圧部材１５における第４位置から第３位置への変位（図５参照）は、原稿カバー３が第１位置から第２位置へ変位すること（原稿カバー３をそのまま第２位置で維持させる場合を含む。）に従って、自重により行われる。この際、図７の（Ａ）に示すように、係合突起２１Ａ、２１Ｂは、同図の白色矢印で示す押圧部材１５の揺動方向で、係合孔３Ｆ内を下方に向かって摺動する。
【００６２】
また、図４に示すように、原稿カバー３が第２位置から第１位置へ変位すること（原稿カバー３を第１位置で維持させる場合を含む）により、押圧部材１５は原稿台５と当接して押圧される。これにより、押圧部材１５は第４位置から第３位置へ変位する。この際、図７の（Ｂ）に示すように、係合突起２１Ａ、２１Ｂは、同図の白色矢印で示す押圧部材１５の揺動方向で、係合孔３Ｆ内を上方に向かって摺動する。
【００６３】
図５に示すように、押圧部材１５が第３位置に変位し、押圧部材１５の前端側が原稿カバー３から離間することで、第２壁部３Ｅにおける切欠き３Ｇと、第３壁部１５Ｂにおける切欠き１５０Ｅとが離間する。これにより、第２壁部３Ｅと第３壁部１５Ｂとの間（切欠き３Ｇと切欠き１５０Ｅとの間）には、収容空間２９と収容空間２９の外部と連通する間隙３１が形成される。そして、図４に示すように、押圧部材１５が第４位置に変位し、押圧部材１５の前端側が原稿カバー３に近接することで、上記の間隙３１は閉鎖される。
【００６４】
＜画像読取動作及び画像形成動作の概説＞
この複合機１では、以下のようにして画像読取動作及び画像形成動作を行う。画像読取動作を開始させるに当たり、使用者は、原稿カバー３を揺動させ、図４に示す第１位置から図５に示す第２位置に変位させる。次に、使用者は、原稿載置面７に原稿を載置し、原稿カバー３を再び揺動させ、図４に示す第１位置に変位させる。そして、使用者が操作部１Ｂにおいて所定の操作を行う。これにより、スキャナ部９により原稿の画像の読み取りが行われる。ここで、スキャナ部９により読み取られた画像をシートやディスクメディアに形成する、いわゆるコピーの場合には、続いて以下のようにプリンタ部１１により画像の形成動作が行われる。
【００６５】
プリンタ部１１において、上記の画像が形成される対象がシートである場合には、給紙トレイ１Ｃ内に載置されたシートがプリンタ部１１に搬送され、画像が形成される。画像が形成されたシートは、排出口１Ｄから排出され、シートに対する画像形成動作が完了する。
【００６６】
他方、上記の画像が形成される対象がディスクメディアである場合には、図２に示すメディアトレイ１３が使用される。使用者は、このメディアトレイ１３の載置部１３Ｂにディスクメディアを載置する。この状態で、メディアトレイ１３を複合機１の所定の位置に挿入する。これにより、ディスクメディアに対して画像の形成が行われる。その後、複合機１からメディアトレイ１３を引き出してディスクメディアを回収することで、ディスクメディアに対する画像形成動作が完了する。なお、ここでは、スキャナ部９によって読み取られた画像をシートやディスクメディアに形成する場合を説明しているが、スキャナ部９によって読み取られた画像以外の画像をシート等に形成する場合もほぼ同様に行われる。
【００６７】
ここで、この複合機１は押圧部材１５を備えており、この押圧部材１５と原稿カバー３との間に収容空間２９が形成されている。そして、図５に示すように、原稿カバー３が第２位置に変位し、押圧部材１５が第３位置に変位することによって形成された間隙３１を介し、図８に示すように、収容空間２９内にはメディアトレイ１３を収容することが可能となっている。つまり、この複合機１では、メディアトレイ１３を複合機１内に保管することが可能となっている。このように、この複合機１では、複合機１の載置場所とメディアトレイ１３の保管場所とが同一となることから、メディアトレイ１３の紛失を好適に防止することが可能となっている。
【００６８】
また、この複合機１では、原稿カバー３が第１位置から第２位置へ向けて変位するに従って、押圧部材１５は自重によって第４位置から第３位置へ向けて変位する。そして、原稿カバー３が第１位置となることで、押圧部材１５は原稿台５によって押圧されて第４位置へ変位する。このため、この複合機１では、収容空間２９へメディアトレイ１３を収容するに当たって、使用者は押圧部材１５を操作する必要がない。つまり、図５に示すように、原稿カバー３を第１位置から第２位置に変位させることで、押圧部材１５を第３位置に変位させることができ、メディアトレイ１３を収容できる状態とすることができる。また、メディアトレイ１３を収容した後も原稿カバー３を第１位置に変位させる操作を行うだけで押圧部材１５を第４位置に変位させることができることから、間隙３１を閉鎖するために押圧部材１５の操作を行う必要もない（図４参照）。このため、この複合機１では、メディアトレイ１３の収容作業及びその保管が容易となっている。
【００６９】
特に、この複合機１では、図８に示すように、メディアトレイ１３の前後方向の長さは、押圧部材１５の前後方向よりも長く形成されている。このため、メディアトレイ１３はその後端側が収容空間２９の後端側からはみ出した状態で収容されることとなる。具体的には、図４に示すように、メディアトレイ１３の後端は、第２壁部３Ｅにおける切欠き３Ｇと、第３壁部１５Ｂにおける切欠き１５０Ｆとの間から原稿カバー３の後端に向かって突出する。そして、このメディアトレイ１３の後端は、各当接部１４と当接する。これにより、この複合機１では、収容空間２９にメディアトレイ１３を収容した状態で原稿カバー３を第１位置から第２位置へ向けて変位させたり、第２位置のままで原稿カバー３を停止させたりした場合であっても、メディアトレイ１３が押圧部材１５の後端側に移動することが防止され、メディアトレイ１３が収容空間２９から落下し難くなっている。また同様に、メディアトレイ１３が収容空間２９を超えて移動した結果、原稿カバー３と原稿台５との間に挟まるような事態も生じ難くなっている。このため、この複合機１では、保管時におけるメディアトレイ１３の損傷を防止できる。
【００７０】
さらに、図６に示すように、押圧部材１５における平面部１５Ａの後端側には突出部２３Ａ、２３Ｂが形成されている。これにより、収容空間２９に収容されるメディアトレイ１３の後端は、各突出部２３Ａ、２３Ｂ上を他端側から一端側に滑ることにより、各突出部２３Ａ、２３Ｂによって原稿カバー３の平面部３Ａ側に持ち上げられた状態で、各当接部１４へ確実に導かれることとなる。
【００７１】
ここで、各突出部２３Ａ、２３Ｂは、平面部１５Ａの中央部よりもやや後端側から平面部１５Ａの最後端に向かって延び、かつ、その突出量は、最後端に向かって次第に大きくなる略直角三角形である。さらに、平面部２５Ａには、各ガイド部２５Ａ〜２５Ｈが形成されている。そして、各突出部２３Ａ、２３Ｂは、対向する一対のガイド部２５Ａ、２５Ｅの間に形成され、突出部２３Ａからガイド部２５Ａまでの距離と、突出部２３ＢＡからガイド部２５Ｅまでの距離とは等しくなっている。
【００７２】
これらのため、間隙３１からメディアトレイ１３を収容空間２９に収容させる際、図８に示すように、メディアトレイ１３は各ガイド部２５Ａ〜２５Ｈに案内されつつ、各突出部２３Ａ、２３Ｂに導かれる。この間、各ガイド部２５Ａ〜２５Ｈによる幅方向の規制だけでなく、ガイド部２５Ｃ、２５Ｇに形成された補助ガイド部２５１、２５２により、高さ方向の規制も行われる。そして、各突出部２３Ａ、２３Ｂに導かれたメディアトレイ１３は、略直角三角形に傾斜する各突出部２３Ａ、２３Ｂの形状により、各突出部２３Ａ、２３Ｂと好適に当接する。このため、この複合機１では、収容空間２９に収容されるメディアトレイ１３の後端を精度良く各当接部１４と当接させることが可能となっている。
【００７３】
そして、各突出部２３Ａ、２３Ｂに当接することにより、図４に示すように、原稿カバー３が第１位置にある場合、メディアトレイ１３は、収容空間２９内において前端側から後端側に向かって登り傾斜の姿勢を自然に取ることになる。これにより、この複合機１では、次のような効果を発揮する。以下、図９を基に比較例と対比しつつ、具体的に説明する。
【００７４】
図９（Ｃ）に示す比較例の複合機ように、各突出部２３Ａ、２３Ｂを設けずに構成することにより、原稿カバー３が第１位置にある場合、原稿カバー３とメディアトレイ１３と押圧部材１５とが平行な状態となる。また、この際、メディアトレイ１３の後端は当接部１４の下端で当接する。そして、比較例の複合機では、図９（Ｄ）に示すように、原稿カバー３を第２位置に変位させれば、収容空間２９内のメディアトレイ１３は、原稿カバー３や押圧部材１５とほぼ同様の角度で傾斜することとなる。この場合における水平線ＨＬに対するメディアトレイ１３の傾斜角度はθ２となる。
【００７５】
このように、メディアトレイ１３の傾斜角度が大きくなることで、比較例の複合機では、原稿カバー３を第２位置に変位させれば、メディアトレイ１３が後端側に向かって滑ろうとする力が強くなる。このため、比較例の複合機では、メディアトレイ１３と各当接部１４との当接が解除され、メディアトレイ１３が収容空間２９の後端側に向かって移動し、メディアトレイ１３が収容空間２９（押圧部材１５の後端）から落下する等のおそれがある。
【００７６】
これに対し、実施例１の複合機１では、図９（Ａ）に示すように、実施例１の複合機１では、原稿カバー３が第１位置にある場合において、メディアトレイ１３が収容空間２９内で前端側から後端側に向かって登り傾斜の姿勢となる。また、メディアトレイ１３の後端は当接部１４の上端に近い位置で当接する。ここで、実施例１の複合機１においても、図９（Ｂ）に示すように、原稿カバー３を第２位置に変位させた際に、収容空間２９を構成する原稿カバー３や押圧部材１５が前端側から後端側へ下り傾斜をなす姿勢となる。しかし、実施例１の複合機１では、このように、原稿カバー３や押圧部材１５が前端側から後端側へ下り傾斜をなす姿勢になっても、収容空間２９内のメディアトレイ１３は、上記のように傾斜した原稿カバー３や押圧部材１５と比較して、より水平に近い状態となる。この場合における水平線ＨＬに対するメディアトレイ１３の傾斜角度はθ１となり、図９（Ｄ）に示す実施例１におけるメディアトレイ１３の傾斜角度θ２よりも小さい。
【００７７】
このようにメディアトレイ１３の傾斜角度が小さければ、原稿カバー３を第２位置に変位させる際に、メディアトレイ１３が後端側に向かって滑ろうとする力も小さくなる。さらに、メディアトレイ１３の後端は、当接部１４の上端に近い位置で当接している。これにより、実施例１の複合機１では、メディアトレイ１３と各当接部１４との当接が解除され難い。このため、実施例１の複合機１では、メディアトレイ１３が収容空間２９から落下する等の事態が生じ難い。
【００７８】
また、図６に示すように、各突出部２３Ａ、２３Ｃは、一定の厚みを持って形成されていることから、各突出部２３Ａ、２３Ｃとメディアトレイ１３とが当接する箇所の面積が大きくなっており、摩擦力が大きくなっている。このため、この複合機１では、収容空間２９に収容されたメディアトレイ１３が収容空間２９内を移動することが抑制されている。同様に、この複合機１では、原稿カバー３が第１位置と第２位置との間で繰り返し変位しても、収容空間２９に収容されているメディアトレイ１３が収容空間２９内を移動することも抑制されている。また、上記のように原稿カバー３が第１位置となり、押圧部材１５が第４位置となることで、間隙３１が閉鎖される。このため、原稿カバー３が第１位置にある際に、メディアトレイ１３が間隙３１から収容空間２９の外部に移動することもない。
【００７９】
さらに、実施例１の複合機１では、押圧部材１５やスポンジ板１７により、原稿カバーが第１位置にある際に原稿を原稿載置面７に向けて押圧可能となっている。このため、この複合機１では、原稿の画像を読み取る際に、原稿が原稿載置面７を移動したり、読み取った画像に不必要な影等が生じたりし難くいことから、原稿の画像の読み取り精度が高くなっている。また、複合機１において有用な押圧部材１５を利用することで、専用の部材を用いること無くメディアトレイ１３を収容する収容空間２９を形成していることから、小型化を実現している。
【００８０】
また、実施例１の複合機１では、各係合突起２１Ａ、２１Ｂ及び係合孔３Ｆを押圧部材１５の後端側から離れた位置に設けられている。これにより、この複合機１では、図７に示すように、各係合孔３Ｆ内において各係合突起２１Ａ、２１Ｂがそれぞれ摺動可能な距離が短くても、押圧部材１５が第３位置に揺動した際に押圧部材１５の前端側が大きく揺動し、間隙３１が大きく形成される。このため、この複合機１では、各係合突起２１Ａ、２１Ｂ及び係合孔３Ｆの小型化と、メディアトレイ１３の収容の容易化とを両立させている。
【００８１】
さらに、実施例１の複合機１では、ガイド部２５Ｄ、２５Ｈにそれぞれ一体で形成された誘い込み部２７Ａ、２７Ｂによって、この複合機１では、間隙３１を介して収容空間２９にメディアトレイ１３を収容し易くなっており、メディアトレイ１３の保管が容易となっている。
【００８２】
また、実施例１の複合機１では、各誘い込み部２７Ａ、２７Ｂにおける案内面２７２Ａ、２７２Ｂが前端側から後端側にかけて傾斜するように形成されている。このため、間隙３１に対して各誘い込み部２７Ａ、２７Ｂによりメディアトレイ１３を挿入し易くなっている。さらに、この複合機１では、原稿カバー３が第１位置にある際に、各案内面２７２Ａ、２７２Ｂが第２壁部３Ｅ等と干渉することが回避されている。これにより、この複合機１では、第１位置にある原稿カバー３によって、原稿載置面７を確実に覆うことが可能となっているとともに、干渉による原稿カバー３や各誘い込み部２７Ａ、２７Ｂの損傷が防止されている。
【００８３】
したがって、実施例１の複合機１は、安定した状態でメディアトレイ１３を収容空間２９に保管でき、高い利便性を発揮する。
【００８４】
（実施例２）
実施例２では、実施例１における押圧部材１５に換え、図１０に示す押圧部材１６を採用している。この押圧部材１６は、平面部１６Ａ及び第３壁部１６Ｂを有している。この平面部１６Ａの上面には、傾斜面２３Ｃが形成されている。この傾斜面２３Ｃも案内部の一例である。
【００８５】
傾斜面２３Ｃは、平面部１６Ａの最後端に位置し、メディアトレイ１３の幅方向の長さとほぼ同じ幅を有して、上面部１６Ａの上面から原稿カバー３に向って突出している。より詳細には、傾斜面２３Ｃは、平面部１６Ａの中央部よりもやや後端側から平面部１６Ａの最後端に向かって延びており、傾斜面２３Ｃの突出量は、最後端に向かって次第に大きくなっている。なお、平面部１６Ａの全体が前端から後端に向かって登り傾斜となるように平面部１６Ａを形成し、平面部１６Ａの全体を傾斜面２３Ｃとして構成しても良い。この押圧部材１６における他の構成は実施例１における押圧部材１５と同様であり、同一の構成については同一の符号を付して構成に関する詳細な説明を省略する。
【００８６】
この押圧部材１６を原稿カバー３に組み付けることにより、係止面２３Ｃが収容空間２９内に位置する。このため、実施例１と同様、原稿カバー３が第１位置にある際、収容空間２９の後端側における高さ方向の間隔は、前端側よりも狭くなっている。
【００８７】
この押圧部材１６を採用することで、収容空間２９に収容されるメディアトレイ１３の後端は、傾斜面２３Ｃによって、原稿カバー３の平面部３Ａ側に持ち上げられつつ、各当接部１４へ確実に導かれることとなる。そして、この傾斜面３Ｃにより、原稿カバー３が第１位置にある場合に、メディアトレイ１３は、収容空間２９内において前端側から後端側に向かって登り傾斜の姿勢を自然に取ることになる。実施例２の複合機１における他の作用効果は実施例１と同様である。したがって、実施例２の複合機１もメディアトレイ１３を備えつつ、高い利便性を発揮する。
【００８８】
以上において、本発明を実施例１、２に即して説明したが、本発明は上記実施例１、２に制限されるものではなく、その趣旨を逸脱しない範囲で適宜変更して適用できることはいうまでもない。
【００８９】
例えば、本発明では、押圧部材１５、１６の前後方向よりも短く形成された付属部品、すなわち、収容時に収容空間２９内に全て収まる付属部品を収容空間２９に収容しても良い。このような場合、各突出部２３Ａ、２３Ｂ及び傾斜面２３Ｃは、保持部材として機能する。これにより、収容空間２９に上記の付属部品を収容した状態で原稿カバー３を第１位置から第２位置へ向けて変位させたり、第２位置のままで原稿カバー３を停止させたりした場合であっても、各突出部２３Ａ、２３Ｂ及び傾斜面２３Ｃによって、付属部品を収容空間２９内で保持することが可能となる。このため、押圧部材１５、１６の前後方向よりも短く形成された付属部品を収容空間２９に収容した場合であっても、その付属部品が収容空間２９から落下したり、原稿カバー３と原稿台５との間に挟まったりするような事態が生じ難くなる。
【００９０】
また、第２壁部３Ｅに押圧部材１５、１６側に向かって突出する係合突起２１Ａ、２１Ｂを設けるとともに、各側壁面１５０Ａ、１５０Ｂに各係合孔３Ｆを設ける構成としても良い。この場合、係合突起２１Ａ、２１Ｂが被係合部とされ、各係合孔３Ｆが係合部とされる。
【００９１】
さらに、各突出部２３Ａ、２３Ｂ及び傾斜面２３Ｃ以外にも、保持手段としては、種々の手段を採用可能である。例えば、収容空間２９内に配置される滑り止めマット、収容空間２９内でメディアトレイ１３を係止可能な係止部材等を採用することが可能である。また、収容空間２９内に磁石を設けるとともに、メディアトレイ１３を磁着可能に構成し、収容空間２９内でメディアトレイ１３と磁石とを磁着させてメディアトレイ１３の保持を行っても良い。
【００９２】
さらに、原稿カバー３と押圧部材１５との間に形成される収容空間２９が、図９（Ａ）に示されるように、前端側に対して後端側が狭くなるように形成するに当たり、各突出部２３Ａ、２３Ｂ及び傾斜面２３Ｃやその形状に限らず、他の形状、他の手段を用いても良い。
【産業上の利用可能性】
【００９３】
本発明は画像読取装置又は画像形成装置等に利用可能である。
【符号の説明】
【００９４】
１…画像読取装置、画像形成装置（複合機）、７…原稿載置面、５…原稿台、９…読取手段（スキャナ部）、Ｍ１…第１揺動軸心、３…原稿カバー、Ｍ２…第２揺動軸心、１５…押圧部材（揺動部材）、１３…付属部品（メディアトレイ）２９…収容空間、３１…間隙、２３Ａ、２３Ｃ…突出部（案内部材）、２３Ｃ…傾斜面（案内部材）、１７…弾性部材（スポンジ板）、１５０Ａ、１５０Ｂ…側壁面、２１Ａ、２１Ｂ…係合部（係合突起）、３Ｆ…被係合部（係合孔）、３Ｈ…当接部、２７Ａ、２７Ｂ…誘い込み部、２７２Ａ、２７２Ｂ…案内面、２５Ａ〜２５Ｈ…ガイド部、１１…画像形成手段（プリンタ部）
【図１】
2014003387.tif 000003
【図２】
2014003387.tif 000004
【図３】
2014003387.tif 000005
【図４】
2014003387.tif 000006
【図５】
2014003387.tif 000007
【図６】
2014003387.tif 000008
【図７】
2014003387.tif 000009
【図８】
2014003387.tif 000010
【図９】
2014003387.tif 000011
【図１０】
2014003387.tif 000012